(57)【要約】      （修正有）【課題】天板の大きさを用途に応じて変更するため、伸張時に天板と伸張天板が面一となり収納時には天板下に伸張天板を隠すことを可能とする伸張式テーブルを提供する。【解決手段】天板と、脚部と、伸張部とからなる伸張式テーブルであって、天板は、伸張部を支持する支持部を装備し、伸張部は、アーム部と伸張天板と支持部に係合する２つの接続部とからなり、接続部は、第一突起部と第二突起部とからなるとともに、支持部は、第一レール部と第二レール部とからなり、第一レール部は、係合する第一突起部を水平移動する第一水平移動溝および第二水平移動溝と、該第一水平移動溝と第二水平移動溝との間に設けられ第一突起部を天板に近接または離隔するためのスロープ溝とからなり、第二レール部は、係合する第二突起部を略水平に移動する第三水平移動溝と、第三水平移動溝より上側に第二突起部を係止固定する係止部を有するＪ字状係止溝とからなる構成である。【選択図】図６
2019088629.tif 000002
【特許請求の範囲】
【請求項１】
天板(100)と、該天板を水平に支持する複数からなる脚部(200)と、前記天板の長手方向側面に延設収納自在に付設される伸張部(300)と、からなる伸張式テーブル(1)において、
前記天板(100)は、前記伸張部(300)を支持する支持部(110)を装備し、
前記伸張部(300)は、両端に第一端部(312)と第二端部(314)を有するアーム部(310)と、伸張天板(320)と、前記天板の支持部(110)に係合する２つの接続部(330)と、からなり、接続部(330)を前記第一端部(312)付近とアーム部(310)の中央寄り付近に突設するとともに、前記伸張天板(320)を前記第二端部(314)の上部に固設し、
前記アーム部の接続部(330)は、前記アーム部の第一端部(312)付近に突設した第一突起部(332)と、該第一突起部(332)より中央寄り付近に突設した第二突起部(334)と、からなるとともに、
前記支持部(110)は、前記第一突起部(332)が係合した状態で移動するための第一レール部(112)と、前記第二突起部(334)が係合して移動するための第二レール部(114)と、からなり、
前記支持部の第一レール部(112)は、前記第一突起部(332)を前後移動自在とする連通する溝であって、係合する前記第一突起部(332)を水平移動する第一水平移動溝(1120a)および第二水平移動溝(1120b)と、該第一水平移動溝(1120a)と第二水平移動溝(1120b)との間に設けられ前記第一突起部(332)を前記天板(100)に近接または離隔するためのスロープ溝(1120c)と、からなり、
前記支持部の第二レール部(114)は、前記第二突起部(334)を前後移動自在とする溝であって、係合する前記第二突起部(334)を略水平に移動する第三水平移動溝(1140a)と、天板の側面に伸張天板を固定するために第三水平移動溝(1140a)より上側に前記第二突起部(334)を係止固定する係止部(1140b)を有するＪ字状係止溝(1140c)と、
からなることを特徴とする伸張式テーブル。
【請求項２】
前記アーム部(310)は、前記支持部(110)を挟持する一対の細長板状部材からなり、
前記アーム部の接続部(330)は、前記一対のアーム部の第一端部(312)付近に突設した一対の第一突起部(332)と、該第一突起部(332)より中央寄りに突設した一対の第二突起部(334)と、からなるとともに、
前記支持部(110)は、前記一対の第一突起部(332)が係合して移動するための一対の第一レール部(112)と、前記一対の第二突起部(334)が係合して移動するための一対の第二レール部(114)と、からなることを特徴とする請求項１記載の伸張式テーブル。
【請求項３】
前記第一水平移動溝(1120a)と前記第三水平移動溝(1140a)、前記第二水平移動溝(1120b)と前記Ｊ字状係止溝(1140c)の係止部(1140b)は、各々略同高となるように穿設されるとともに、前記アーム部(310)の第一突起部(332)と第二突起部(334)は、アーム部(310)の長手方向に水平となるように突設され、
前記第一突起部(332)および第二突起部(334)が形成する平面と前記伸張天板(320)の上平面との距離と、前記第一水平移動溝(1120a)と前記第三水平移動溝(1140a)が形成する平面と前記天板(100)との距離とが等しくなるように、前記第一水平移動溝(1120a)、前記第二水平移動溝(1120b)、前記第三水平移動溝(1140a)および前記Ｊ字状係止溝(1140c)を穿設、乃至、前記第一突起部(332)および第二突起部(334)を突設したことを特徴とする請求項１記載の伸張式テーブル。
【発明の詳細な説明】
【技術分野】
【０００１】
本発明は、テーブルに関し、特に、天板の大きさを用途に応じて容易に拡張変更することを可能とした天板伸張機構を有する、機能性やデザイン性に優れた伸張式テーブルに関する。
【背景技術】
【０００２】
従来より、創意工夫が施されたデザインからなるテーブルが使用されており、用途に応じて様々な形状や構造を有するテーブルが開発されて使用されている。テーブルは、ダイニングテーブルやリビングテーブル等の屋内で固定使用するタイプや、折り畳みテーブルのように、屋内外を問わず任意の場所で使用するタイプなど、あらゆる種類・機構を有するものが存在する。
【０００３】
数多く存在する通常のテーブルは、天板の下部に複数本の脚が天板を支持するように備え付けられており、通常は天板の大きさは一定である。しかしながら、例えばダイニングテーブルとして、狭い天板を有するテーブルを使用していると、利用する人数が多くなった場合に天板の広さが足りなくなるという状況がある一方、予め大きめの天板を有するテーブルを使用すると、嵩張ってしまうという問題が生じる事となる。
【０００４】
このような問題を解決するための技術として、特開２００６−３４６３６１号公報に開示されているような例が存在する。ここでは、親テーブルと子テーブルを、簡易な操作で任意の位置でロックできる伸縮テーブルに係る技術として、天板と脚部を備える親テーブルと、親テーブルの天板より小さな子天板と、子天板から下方に延びる親テーブルの脚部より短い子脚部を備えた構造が開示されており、子テーブルが親テーブルの長手方向にスライド自在に嵌合するとともに、親テーブルと子テーブルのロックおよび解除を、子テーブルに配置された引手の操作で行うことを可能とした伸縮テーブルに係る技術が開示されている。
【０００５】
この技術によると、確かにテーブルの天板の広さの拡大・縮小が容易となるが、親テーブルおよび子テーブルの天板が面一にならず段が生じるという大きな問題点があった。また、子テーブルに重量がある構成であるため、親テーブルと子テーブルをロックする特別な機構を設置する必要があるという問題点もあった。
【０００６】
また、特開平１０−２４３８２３号公報の技術では、主天板と補助天板とを有するテーブルに係る構造であって、主天板の一方の側端に補助天板を蝶着するとともに、コ字状に曲げた一対のクランク杆を、主天板だけが脚部上に支持される位置と、主天板と補助天板の両方が脚部上に支持される位置とに、揺動可能に装着する構造が開示されている。この構造とすることにより、天板面積を広げても補助天板上に加わる荷重を安定して支持することができる旨が示唆されている。
【０００７】
この技術によると、確かに伸長した補助天板が安定すると考えられるが、補助天板は１つしか装着できないという問題点があった。また、補助天板を使用しない場合に、補助天板が主天板の下にぶら下がる構造となるため、審美性・機能性に欠けるという問題点もあった。
【０００８】
テーブルは、天板の伸張というような機能性の他、使い勝手の良さ、家具としての見た目の美しさを有する構成であることが要求される。
そこで、構造が複雑になり過ぎず、かつ、使い勝手がよく、かつ、伸張時に天板と伸張天板が面一となるとともに収納時には天板下に伸張天板が収納されて隠れる、機能性やデザイン性に優れた伸張式テーブルの開発が望まれていた。
【特許文献１】特開２００６−３４６３６１号公報
【特許文献２】特開平１０−２４３８２３号公報
【発明の開示】
【発明が解決しようとする課題】
【０００９】
本発明は上記問題を解決するために、天板の伸張機構を有するテーブルであって、特に、天板の大きさを用途に応じて容易に拡張変更するため、伸張時に天板と伸張天板が面一となるとともに収納時には天板下に伸張天板を収納隠蔽することを可能とする、機能性やデザイン性に優れた伸張式テーブルを提供することを目的とする。
【課題を解決するための手段】
【００１０】
上記の目的を達成するために本発明に係る伸張式テーブルは、天板と、該天板を水平に支持する複数からなる脚部と、前記天板の長手方向側面に延設収納自在に付設される伸張部と、からなる伸張式テーブルであって、前記天板は、前記伸張部を支持する支持部を装備し、前記伸張部は、両端に第一端部と第二端部を有するアーム部と、伸張天板と、前記天板の支持部に係合する２つの接続部と、からなり、接続部を前記第一端部付近とアーム部の中央寄り付近に突設するとともに、前記伸張天板を前記第二端部の上部に固設し、前記アーム部の接続部は、前記アーム部の第一端部付近に突設した第一突起部と、該第一突起部より中央寄り付近に突設した第二突起部と、からなるとともに、前記支持部は、前記第一突起部が係合した状態で移動するための第一レール部と、前記第二突起部が係合して移動するための第二レール部と、からなり、前記支持部の第一レール部は、前記第一突起部を前後移動自在とする連通する溝であって、係合する前記第一突起部を水平移動する第一水平移動溝および第二水平移動溝と、該第一水平移動溝と第二水平移動溝との間に設けられ前記第一突起部を前記天板に近接または離隔するためのスロープ溝と、からなり、前記支持部の第二レール部は、前記第二突起部を前後移動自在とする溝であって、係合する前記第二突起部を略水平に移動する第三水平移動溝と、天板の側面に伸張天板を固定するために第三水平移動溝より上側に前記第二突起部を係止固定する係止部を有するＪ字状係止溝と、からなる構成である。
【００１１】
また、前記アーム部は、前記支持部を挟持する一対の細長板状部材からなり、前記アーム部の接続部は、前記一対のアーム部の第一端部付近に突設した一対の第一突起部と、該第一突起部より中央寄りに突設した一対の第二突起部と、からなるとともに、前記支持部は、前記一対の第一突起部が係合して移動するための一対の第一レール部と、前記一対の第二突起部が係合して移動するための一対の第二レール部と、からなる構成である。
【００１２】
更に、前記第一水平移動溝と前記第三水平移動溝、前記第二水平移動溝と前記Ｊ字状係止溝の係止部は、各々略同高となるように穿設されるとともに、前記アーム部の第一突起部と第二突起部は、アーム部の長手方向に水平となるように突設され、前記第一突起部および第二突起部が形成する平面と前記伸張天板の上平面との距離と、前記第一水平移動溝と前記第三水平移動溝が形成する平面と前記天板との距離とが等しくなるように、前記第一水平移動溝、前記第二水平移動溝、前記第三水平移動溝および前記Ｊ字状係止溝を穿設、乃至、前記第一突起部および第二突起部を突設した構成でもある。
【発明の効果】
【００１３】
本発明は、上記詳述した通りの構成であるので、以下のような効果がある。
１．伸張部にアーム部を設け、アーム部の２つの突起からなる接続部が２本のレールからなる天板の支持部に接続される構成としたため、伸張天板をレールに沿って伸張／収納自在に横移動することが可能となる。また、第一レール部に第一突起部を天板に近づけるためのスロープを設けるとともに、第二レール部に第二突起部を係止固定する係止部を有するＪ字状係止溝を設けたため、伸張天板の伸張時には天板の側面に天板と面一となるように伸張天板を固定することが可能となり、また、伸張天板の収納時には伸張天板を天板と水平に天板の下に隠して収納することが可能となる。
【００１４】
２．アーム部を一対とするとともに、第一突起部および第二突起部を一対とし、更に第一レール部と第二レール部も一対となる構造としたため、伸張天板を安定させることが可能となり、安定した状態で使用する事が出来、かつ伸張天板の伸張／収納をスムースに行う事が可能となる。
３．第一水平移動溝と第三水平移動溝および第二水平移動溝と係止部を各々略同高となるように穿設し、第一突起部と第二突起部をアーム部長手方向に水平となるように突設したため、伸張天板の伸張時および収納時において伸張天板を面一（水平）にすることが可能となる。
【発明を実施するための最良の形態】
【００１５】
以下、本発明に係る伸張式テーブルを、図面に示す実施例に基づいて詳細に説明する。図１は、本発明に係る伸張式テーブルの側面図であり、図２は、天板の裏面を示す斜視図である。図３は、天板の支持部の側面断面図あり、図４は、伸張部の側面図である。図５は、伸張部の平面図であり、図６は、伸張天板の伸張動作を示す側面断面図である。
【００１６】
本発明の伸張式テーブル１は、天板１００と、脚部２００と、伸張部３００とからなり、複数の脚部２００が装着された天板１００の下面（裏面）に伸張部３００を伸張自在に収納可能に設置し、伸張部３００を伸張することにより天板１００の面積を拡張することを可能とした伸張機構を有するテーブルである。
【００１７】
天板１００は、図１に示すように、テーブルの最上部に水平に設置される平板であり、該部分に物を置いたりして使用する板状部材である。本実施例では、天板１００の材質として木を用いているが、これに限定されることはなく、プラスチック、アクリル、ガラス等用途やデザインに応じて適宜選択して使用することが可能である。また、天板１００は長方形からなる構成としているが、これに限定されることはなく、伸張部３００の伸張時に天板１００と後述する伸張天板３２０が一体的かつ面一となるように形成することで、正方形としたり、円形乃至楕円形としたり適宜選択して構成することが可能である。
【００１８】
脚部２００は、天板１００を水平に支持するための部材であり、図１に示すように、天板１００の下面に伸張式テーブル１が倒れないよう安定する位置に複数の脚部２００が設置される構成である。本実施例では、４本の棒状部材からなる構成であるが、これに限定されることはなく、板状部材などデザインに応じて形状を適宜選択して使用することが可能である。また、伸張式テーブル１が倒れないよう安定する構成であれば、４本に限らず適宜本数を選択して使用することが可能である。
【００１９】
伸張部３００は、天板１００の長手方向側面に架設収納自在に付設される部材であり、伸張時には、図１の一点鎖線で示すように天板１００の長手方向側面に天板１００の上面と面一になるように突出して天板１００の表面積を拡張し、収納時は図６の（ａ）に示すように、天板１００の下面（裏面）に格納される構成である。本実施例では、伸張部は、天板１００と同じ木によって構成されているが、これに限定されることはなく、デザインに応じて材質を適宜選択して実施することが可能である。
【００２０】
天板１００は、図３に示すように、天板の下面に伸張部３００を収納支持する支持部１１０を装備した構成である。支持部１１０は、図２に示すように、天板１００の裏側（下面）であって、天板１００の端部寄りの位置に装着される。該支持部１１０によって伸張部３００を伸張収納自在に下面に支持する構成である。
【００２１】
伸張部３００は、図４に示すように、アーム部３１０と、伸張天板３２０と、２つの突起部（３３２、３３４）を突設した接続部３３０とからなる。アーム部３１０は、伸張天板３２０を支持するとともに接続部３３０を天板１００の支持部１１０に接続するための部材であり、図４に示すように、両端に第一端部３１２と第二端部３１４を有する構成である。アーム部３１０は、本実施例では天板１００の長手方向に並行に設けられる２本の棒状部材または板状部材からなる構成であるが、これに限定されることはなく、例えば１本の棒状部材で構成する事も可能である。
【００２２】
伸張天板３２０は、天板１００を拡張するために用いられる天板であり、図５に示すように、本実施例では、天板１００と略同幅であるとともに、伸張する分の長さを有する長方形の板状部材であるが、この形状に限定されるものではない。また、伸張部３００の伸張時に、天板１００と伸張天板３２０は面一となる構成であるため、伸張天板３２０は、本実施例では同一材質であるが、これに限定されるものではない。
【００２３】
接続部３３０は、伸張部３００を天板１００の支持部１１０に係合するための部材であり、図４および図５に示すように、本実施例では２つの突起状部材（３３２、３３４）からなる構成である。該突起状部材が支持部１１０に係合し、レール部内を移動することにより、天板１００の表面に伸張部３００が伸張し、裏面に収納するように接続される。
【００２４】
伸張天板３２０と接続部３３０は、アーム部３１０に接続固定される。図４および図５に示すように、接続部３３０は、第一端部３１２付近とアーム部３１０の中央寄り付近に２つ突設する構成である。また、伸張天板３２０は、第二端部３１４の先端上部に固設する構成である。
【００２５】
接続部３３０は、詳細には、図４（断面図）および図５（平面図）に示すように、アーム部の第一端部３１２付近に突設した第一突起部３３２と、第一突起部３３２より中央寄り付近に突設した第二突起部３３４とからなる。
【００２６】
支持部１１０には、２つのレール（１１２、１１４）が設けられている。支持部１１０は、図３に示すように、接続部３３０の第一突起部３３２が係合した状態で移動するための第一レール部１１２、および、接続部３３０の第二突起部３３４が係合して移動するための第二レール部１１４とからなる。
【００２７】
支持部１１０の各レールの形状について詳述する。第一レール部１１２は、係合する第一突起部３３２の前後移動を自在とする連通する溝であり、図３に示すように、第一水平移動溝１１２０ａと、溝の上下位置を変えるためのスロープ溝１１２０ｃと、第二水平移動溝１１２０ｂとからなる。第一水平移動溝１１２０ａおよび第二水平移動溝１１２０ｂは、係合する第一突起部３３２が嵌合状態で水平移動するための溝である。また、スロープ溝１１２０ｃは、第一水平移動溝１１２０ａと第二水平移動溝１１２０ｂとの間に設けられる溝であって上下移動により第一突起部３３２を天板１００に近接または離隔するため溝である。
【００２８】
すなわち、図３に示すように、第一水平移動溝１１２０ａと第二水平移動溝１１２０ｂは平行な関係にあるが、設けられる高さ位置が異なる構成であり、天板１００の端部方向に進むにつれて天板１００に近づくようにスロープ状が設けられている。
【００２９】
支持部１１０の第二レール部１１４は、係合する第二突起部３３４の前後移動を自在とする連通する溝であり、図３に示すように、第三水平移動溝１１４０ａと、係止部１１４０ｂと、Ｊ字状係止溝１１４０ｃとからなる。第三水平移動溝１１４０ａは、係合する第二突起部３３４を略水平に移動するための溝である。また、Ｊ字状係止溝１１４０ｃは、横Ｊ字状の溝であり、天板の側端面に伸張天板を固定して面一となるように第二突起部３３４を第三水平移動溝１１４０ａより上側に持ち上げるための溝である。また、係止部１１４０ｂは、第二突起部３３４を上側に持ち上げた後に係止固定するための係止突起１１６を有する溝である。
【００３０】
すなわち、図３に示すように、第二レール部１１４は、を第三水平移動溝１１４０ａより上側に第二突起部３３４を持ち上げて係止部１１４０ｂに係止固定する構造である。本実施例では、第一水平移動溝１１２０ａと第三水平移動溝１１４０ａ、および、第二水平移動溝１１２０ｂと係止部１１４０ｂとは、各々同じ高さに設けられる構成となっているため、伸張天板３２０の収納時と伸張時は、何れも第一突起部３３２と第二突起部３３４を結ぶ線は水平となっている。それ故に、同じく伸張天板３２０も、収納時と伸張時において水平となる構成である。
【００３１】
次に、伸張部３００の伸張（および収納）時の動作について説明する。伸張部３００は、図６の（ａ）に示すように、収納時には、第一突起部３３２は、第一レール部１１２の第一水平移動溝１１２０ａの端部に、第二突起部３３４は、第二レール部１１４の第三水平移動溝１１４０ａの端部に位置している。このとき、伸張天板３２０は、天板１００に接して水平に固定された状態となっている。
【００３２】
伸張部３００の伸張を開始すると、第一突起部３３２と第二突起部３３４は天板１００の端部側へ向けて移動する。このとき、図６の（ｂ）に示すように、第一突起部３３２がスロープ溝１１２０ｃまで移動すると、第一突起部３３２のみが上昇し、第二突起部３３４はそのまま水平移動を継続する。これにより、伸張部３００は斜めとなり、伸張天板３２０がやや斜めに下がった状態となる。
【００３３】
更に第一突起部３３２と第二突起部３３４を移動すると、図６の（ｃ）に示すように、第一突起部３３２が第二水平移動溝１１２０ｂに到達する。このとき、伸張部３００の傾斜角は最大となる。ここまでの動作で天板１００に接していた伸張天板３２０は、天板１００から離れて天板１００の外側に向けて移動する事となり、スムーズな伸張天板３２０の引き出しが可能となる。
【００３４】
次に、図６の（ｄ）に示すように、第一突起部３３２が第二水平移動溝１１２０ｂの端部に到達すると、第二突起部３３４は、Ｊ字状係止溝１１４０ｃに到達する。Ｊ字状係止溝１１４０ｃは、上に向けて溝が形成されているため、伸張部３００を第一突起部３３２を軸として回転移動する事ができる。この回転移動により、第二突起部３３４はＪ字状係止溝１１４０ｃの上端に到達する。前述の通り、第二水平移動溝１１２０ｂと係止部１１４０ｂ（Ｊ字状係止溝１１４０ｃの上端）は、同じ高さに設けられる構成となっているため、第一突起部３３２と第二突起部３３４を結ぶ線は再度水平となり、これに伴い、伸張天板３２０も水平となる。
【００３５】
最後に、図６の（ｅ）に示すように、伸張部３００を天板１００に向けて引き戻す。これにより、第二突起部３３４は係止突起１１６を有する係止部１１４０ｂに係止固定される。これと同時に、水平となっている伸張天板３２０と天板１００が密着して両上面が面一となる。
【００３６】
この構成とすることにより、伸張天板３２０の伸張時に、天板１００の側端面に伸張天板３２０を天板１００と面一となるように固定することが可能となった。
【００３７】
伸張式テーブル１は、図２に示すように、天板１００の支持部１１０の下にアンダーカバー１１８を設置する構成とすることが可能である。この構成とすることにより、伸張部３００の収納時に構造を外部から視認し難くなり、すっきりしたデザインの伸張式テーブル１を提供することが可能となった。
【００３８】
本発明に係る伸張式テーブル１の実施例として、アーム部３１０を、支持部１１０を挟持する一対の細長板状部材からなる構成とすることが可能である。この場合、アーム部３１０の接続部３３０は、一対のアーム部３１０の各第一端部３１２付近に突設した一対の第一突起部３３２と、第一突起部３３２より中央寄りに突設した一対の第二突起部３３４と、からなる構成となる。更に、天板１００の支持部１１０は、一対の第一突起部３３２が係合して移動するための一対の第一レール部１１２と、一対の第二突起部３３４が係合して移動するための一対の第二レール部１１４と、からなる構成である。
【００３９】
この構成とすることにより、伸張部３００を移動するための各部材が全て一対で構成されることとなるため、伸張天板３２０を安定させることが可能となった。すなわち、伸張部３００を安定した状態で伸張天板３２０の伸張乃至収納動作を行う事が可能となった。
【００４０】
本発明に係る伸張式テーブル１の実施例では、支持部１１０の第一水平移動溝１１２０ａと第三水平移動溝１１４０ａ、および、第二水平移動溝１１２０ｂとＪ字状係止溝１１４０ｃの係止部１１４０ｂは、各々略同高となるように穿設される構成となっている。また、伸張部３００のアーム部３１０の第一突起部３３２と第二突起部３３４は、アーム部３１０の長手方向に水平となるように突設される構成である。
【００４１】
また、第一突起部３３２および第二突起部３３４が形成する平面と伸張天板３２０の上平面との距離と、第一水平移動溝１１２０ａと第三水平移動溝１１４０ａが形成する平面と天板１００との距離とが等しくなるように、第一水平移動溝１１２０ａ、第二水平移動溝１１２０ｂ、第三水平移動溝１１４０ａおよびＪ字状係止溝１１４０ｃを穿設するとともに、第一突起部３３２および第二突起部３３４を突設する構成である。
【００４２】
この構成とすることにより、伸張部３００の伸張天板３２０の伸張時および収納時において、伸張天板３２０を水平にすることが可能となるとともに、伸張部３００の伸張時には、天板１００と伸張天板３２０の上面を面一にすることが可能となった。
【図面の簡単な説明】
【００４３】
【図１】本発明に係る伸張式テーブルの側面図
【図２】天板の裏面を示す斜視図
【図３】天板の支持部の側面断面図
【図４】伸張部の側面図
【図５】伸張部の平面図
【図６】伸張天板の伸張動作を示す側面断面図
【符号の説明】
【００４４】
１    伸張式テーブル
１００    天板
１１０    支持部
１１２    第一レール部
１１２０ａ    第一水平移動溝
１１２０ｂ    第二水平移動溝
１１２０ｃ    スロープ溝
１１４    第二レール部
１１４０ａ    第三水平移動溝
１１４０ｂ    係止部
１１４０ｃ    Ｊ字状係止溝
１１６    係止突起
１１８    アンダーカバー
２００    脚部
３００    伸張部
３１０    アーム部
３１２    第一端部
３１４    第二端部
３２０    伸張天板
３３０    接続部
３３２    第一突起部
３３４    第二突起部
【図１】
2019088629.tif 000003
【図２】
2019088629.tif 000004
【図３】
2019088629.tif 000005
【図４】
2019088629.tif 000006
【図５】
2019088629.tif 000007
【図６】
2019088629.tif 000008